(57)【要約】【課題】連続して放送される番組の予約であっても、放送回毎の予約設定を行うことを可能とする。【解決手段】放送受信部１１は、放送を受信する。記憶部１７は、放送受信部１１によって受信した放送による放送データを記録する。予約設定部１０ｂは、放送受信部１１による放送の受信および前記記憶部１７への放送データの記録を予約する。表示制御部１０ｄは、予約設定部１０ｂにより予約された番組が連続番組である場合に、連続番組における個々の放送回の予約一覧を表示する。記録設定部１０ｃは、表示制御部１０ｄにより表示される個々の放送回に対して放送データの記録に関する設定の変更を可能とする。【選択図】図１
2012074821.tif 000002
【特許請求の範囲】
【請求項１】
放送を受信する放送受信部、
前記放送受信部によって受信した放送による放送データを記録する記憶部、
前記放送受信部による放送の受信および前記記憶部への放送データの記録を予約する予約設定部、
前記予約設定部により予約された番組が連続番組である場合に、前記連続番組における個々の放送回の予約一覧を表示する表示制御部、
前記表示制御部により表示される個々の放送回に対して前記放送データの記録に関する設定の変更を可能とする記録設定部、
を備えることを特徴とする、放送予約装置。
【請求項２】
前記表示制御部は、前記予約設定部により予約された番組が連続番組である場合に、前記連続番組としての全ての放送回に共通する予約表示が展開されることによって、前記個々の放送回の予約一覧を表示する、
請求項１に記載の放送予約装置。
【請求項３】
連続して放送される連続番組による放送データの記録を予約する予約設定ステップ、
前記予約設定ステップにより予約された連続番組における個々の放送回の予約一覧を表示する表示ステップ、
前記表示ステップにより表示された個々の放送回に対して、前記放送データの記録に関する設定の変更を行う記録設定変更ステップ、
を備えることを特徴とする、放送番組予約設定方法。
【請求項４】
放送予約装置が備えるコンピュータに、
連続して放送される連続番組による放送データの記録を予約する予約設定ステップ、
前記予約設定ステップにより予約された連続番組における個々の放送回の予約一覧を表示する表示ステップ、
前記表示ステップにより表示された個々の放送回に対して、前記放送データの記録に関する設定の変更を行う記録設定変更ステップ、
を実行させることを特徴とする、放送番組予約設定プログラム。
【発明の詳細な説明】
【技術分野】
【０００１】
本発明は、放送コンテンツの予約を行う、放送予約装置および放送予約設定方法、放送予約設定プログラムに関する。
【背景技術】
【０００２】
テレビ放送やラジオ放送の放送コンテンツの予約記録を行う装置が一般的に普及している。これらの予約は、ＥＰＧ（Electronic Program Guide）等によって取得した番組データに基づいて表示される番組表より番組を選択して予約を行う。
【先行技術文献】
【特許文献】
【０００３】
【特許文献１】特開２００７−１２４２１９号公報
【発明の概要】
【発明が解決しようとする課題】
【０００４】
上記のような装置において、例えば語学番組やドラマなど連続して放送される番組に対して予約記録を行う場合、予約を行う時点から直近の放送回を選択して予約記録を設定するとともに、連続予約記録対象として次回以降の放送回に対する連続予約の設定も行う。
【０００５】
このため、連続予約記録対象の番組においては、連続して複数回放送される番組であるにもかかわらず、１つの予約として扱われるために、予約確認画面においては、１つの予約に対してのみ表示が行われる。また、予約記録時に設定された内容は、連続して放送される番組における全ての放送毎の記録に対して適用される。
【０００６】
特許文献１には、連続して放送される放送番組に対して、放送時間を設定して予約記録を行う番組記録装置が開示されている。
【０００７】
これら従来の技術においては、連続して放送される番組の予約に対しては、放送回ごとの記録の設定を行うことができず、放送回毎の放送前に設定の変更を行わなければならない。
【０００８】
本発明はこのような問題点に鑑みなされたものであり、連続して放送される番組の予約であっても、放送回毎の予約設定を行うことが可能な、放送予約装置および放送番組予約設定方法、放送番組予約設定プログラムを提供することを目的とする。
【課題を解決するための手段】
【０００９】
上記目的を達成するために、第１の発明に係る放送予約装置（１００）は、放送を受信する放送受信部（１１）、前記放送受信部（１１）によって受信した放送による放送データを記録する記憶部（１７）、前記放送受信部（１１）による放送の受信および前記記憶部（１７）への放送データの記録を予約する予約設定部（１０ｂ）、前記予約設定部（１０ｂ）により予約された番組が連続番組である場合に、前記連続番組における個々の放送回の予約一覧を表示する表示制御部（１０ｄ）、  前記表示制御部（１０ｄ）により表示される個々の放送回に対して前記放送データの記録に関する設定の変更を可能とする記録設定部（１０ｃ）、を備えることを特徴とする。
【００１０】
第２の発明に係る放送予約装置（１００）は、第１の発明において、前記表示制御部（１０ｄ）は、前記予約設定部（１０ｂ）により予約された番組が連続番組である場合に、前記連続番組としての全ての放送回に共通する予約表示が展開されることによって、前記個々の放送回の予約一覧を表示する。
【００１１】
第３の発明に係る放送番組予約設定方法は、連続して放送される連続番組による放送データの記録を予約する予約設定ステップ、前記予約設定ステップにより予約された連続番組における個々の放送回の予約一覧を表示する表示ステップ、  前記表示ステップにより表示された個々の放送回に対して、前記放送データの記録に関する設定の変更を行う記録設定変更ステップ、を備えることを特徴とする。
【００１２】
第４の発明に係る放送番組予約設定プログラムは、放送予約装置（１００）が備えるコンピュータに、連続して放送される連続番組による放送データの記録を予約する予約設定ステップ、前記予約設定ステップにより予約された連続番組における個々の放送回の予約一覧を表示する表示ステップ、前記表示ステップにより表示された個々の放送回に対して、前記放送データの記録に関する設定の変更を行う記録設定変更ステップ、を実行させることを特徴とする。
【発明の効果】
【００１３】
本発明によれば、連続して放送される番組の予約であっても、放送回毎の予約設定を行うことが可能な、放送予約装置および放送番組予約設定方法を提供することができる。
【図面の簡単な説明】
【００１４】
【図１】本発明における放送予約装置のブロック図である。
【図２】本発明における放送予約装置による予約設定処理例のフローチャートである。
【図３】本発明における放送予約装置による予約設定変更処理例のフローチャートである。
【図４】本発明における放送予約装置の予約設定変更画面例の模式図である。
【図５】本発明における放送予約装置の予約設定変更画面例の模式図である。
【図６】本発明における放送予約装置の予約設定変更画面例の模式図である。
【図７】本発明における放送予約装置の予約設定変更画面例の模式図である。
【図８】本発明における放送予約装置の予約設定変更画面例の模式図である。
【図９】本発明における放送予約装置による記録予約設定に基づく記録処理例のフローチャートである。
【発明を実施するための形態】
【００１５】
以下、本発明における放送予約装置１００について、図１を参照して説明する。図１は本発明の放送予約装置１００を構成するブロック図である。放送予約装置１００は、例えば据え置き型や携帯型のレコーダ等であり、放送を受信し、受信した放送を記録する機能を有する装置であれば、テレビ放送受信装置、ラジオ放送受信装置、ＰＣ（Personal Computer）、携帯電話、ナビゲーション装置等、各種装置が対象となる。
【００１６】
放送予約装置１００は、制御部１０、放送受信部１１、映像処理部１２、音声処理部１３、映像出力部１４、音声出力部１５、操作部１６、記憶部１７、接続部１８を備える。また、放送予約装置１００は、表示部２００に接続される。
【００１７】
制御部１０は、例えばＣＰＵ（Central Processing Unit）であり、ＲＡＭ（Random Access Memory）、ＲＯＭ（Read Only Memory）等を備えて構成される。制御部１０は後述する各部の動作をＲＡＭやＲＯＭに記憶されたプログラムやデータに基づき制御する。
【００１８】
制御部１０は、制御部１０の処理動作によって実現される仮想的部位である、番組情報取得部１０ａ、予約設定部１０ｂ、記録設定部１０ｃおよび表示制御部１０ｄを備える。
【００１９】
番組情報取得部１０ａは、各種方法により後述する放送受信部１１が受信する放送の番組情報を取得する。取得する方法の一例としては、放送受信部１１が受信する放送波に重畳されて搬送される番組情報より取得する方法や、後述する接続部１８において接続されるネットワークを介した図示しない外部サーバから取得する方法などがある。取得した番組情報は、後述する表示部２００に番組表等として表示される。また、取得した番組情報は記録予約や記録後の番組名、放送チャンネル、放送時刻、放送内容等の情報として用いられ、記録される。
【００２０】
予約設定部１０ｂは、ユーザが操作部１６を操作することにより表示部２００に表示される番組表等を用いて選択した放送番組の予約を設定する。ここでいう放送番組の予約とは、設定された時刻に設定された放送チャンネルの放送を記録する記録予約、および設定された時刻に設定された放送チャンネルを表示する視聴予約がある。
【００２１】
記録設定部１０ｃは、放送の記録に関する各種パラメータを設定する。放送の記録に関する各種パラメータとは、例えば、記録モード、記録先、記録開始または終了時刻、予約のオンまたはオフ等である。これらの設定は、ユーザが操作部１６を操作することによって設定してもよく、予めデフォルト値として設定されていてもよい。
【００２２】
表示制御部１０ｄは、後述する映像出力部１４に出力する表示形態を制御する。具体的には、操作部１６による各部に対する操作に対応する表示や、後述する映像処理部１２により処理された映像の表示の形態を制御する。例えば、操作部１６による操作によって、予約設定部１０ｂにより予約設定された番組の一覧や、記録された番組の一覧を表示させる制御を行う。また、制御部１０による操作によって、予約設定された番組または記録された番組が連続番組であるときは、個々の放送回の一覧を展開して表示させる制御を行う。
【００２３】
放送受信部１１は、例えばテレビチューナやラジオチューナであり、アナログ放送用のチューナであってもデジタル放送用のチューナであってもよい。また、地上波放送用のチューナであっても衛星放送用のチューナであってもよく、さらには後述する接続部１８によってネットワークに接続されるＩＰ（Internet Protocol）放送用のチューナであってもよい。
【００２４】
放送受信部１１は、制御部１０による制御により所定の周波数またはチャンネルを選択する。また、放送受信部１１がアナログ放送用のチューナである場合は、受信した受信したＲＦ（Radio Frequency）信号をＩＦ（Intermediate Frequency）信号に変換するとともに復調する機能を含む。
【００２５】
映像処理部１２は、ＤＳＰ（Digital Signal Processor）等により実現され、制御部１０による制御により、放送受信部１１によって復調された映像信号のエンコード処理や、後述する映像出力部１４へ映像信号や映像データを出力する。また、後述する記憶部１７に記録された映像データのデコード処理を行い、映像出力部１４に出力する。また、表示制御部１０ｄにより設定された表示形態に基づき、各種表示形態を実現する映像信号を映像出力部１４に出力する。
【００２６】
映像処理部１２によるエンコード処理は、記録設定部１０ｃにより設定された記録方式および記録モード等に基づきエンコード処理を行う。さらに映像処理部１２は、制御部１０による制御により、映像信号や映像データに対して画質等を調整する処理を行う。
【００２７】
音声処理部１３は、ＤＳＰ（Digital Signal Processor）等により実現され、制御部１０による制御により、放送受信部１１によって復調された音声信号のエンコード処理や、後述する音声出力部１５へ音声信号や音声データを出力する。また、後述する記憶部１７に記録された音声データのデコード処理を行い、音声出力部１４に出力する。
【００２８】
音声処理部１３によるエンコード処理は、記録設定部１０ｃにより設定された記録方式および記録モード等に基づきエンコード処理を行う。さらに音声処理部１３は、制御部１０による制御により、音声信号や音声データに対して音質等を調整する処理を行う。さらには音声の入出力時にアナログ信号からなる音声信号をデジタル信号からなる音声データに変換するＡＤＣ（Analog Digital Converter）、ＤＡＣ（（Digital Analog Converter）を含んでもよい。
【００２９】
映像出力部１４は、映像処理部１２より送出された映像データや映像信号を表示部２００に出力する。映像出力部１４は、映像出力用の各種端子であり、後述する表示部２００に接続される。
【００３０】
音声出力部１５は、音声処理部１３より送出された音声データや音声信号を出力する。音声出力部１５は、音声出力用の各種端子であり、外部に設けられた図示しない音声出力装置や、表示部２００に接続される。音声出力部１５は映像出力部１４と共通の端子であってもよい。また、音声出力部１５は、図示しない増幅部を備えていてもよい。さらに、音声出力部１５は、放送予約装置１００に一体に備えられたスピーカであってよい。
【００３１】
操作部１６は、放送予約装置１００をユーザが操作する各種操作デバイスであり、例えば、放送予約装置１００に備えられている各種操作キー、放送予約装置１００との赤外線通信等を行う図示しないリモコン装置等である。また、操作部１６は、放送予約装置１００に表示部２００が一体に備えられている場合は、表示部上に備えられたタッチパネル装置であってもよい。
【００３２】
記憶部１７は、例えばＨＤＤ（Hard Disk Drive）やフラッシュメモリ等により構成され、各種データを記憶する。また、記憶部１７は、放送受信部１１により受信され映像処理部１２または音声処理部１３によりエンコード処理された放送データ、さらには番組情報取得部１０ａが取得した番組情報等を記憶する。
【００３３】
記憶部１７は、上記以外に例えば放送予約装置１００が図示しない光ディスク記録再生部を備えている場合は、ＤＶＤ（Digital Versatile Disc）やＢＤ（Blu-ray Disc）の記録用ディスク媒体であってもよい。さらに記憶部１７は、後述する接続部１８が備える所定の接続端子に接続される外部メモリや外部ＨＤＤ等の外部記録媒体であってもよい。
【００３４】
接続部１８は、外部装置やネットワーク等の接続端子及び接続デバイスであり、例えばＩＰ接続を行うＬＡＮ（Local Area Network）等の接続装置および接続端子、またはＵＳＢ（Universal Serial Bus）等の接続端子や、メモリカードスロット等である。
【００３５】
表示部２００は、放送予約装置１００に接続されるＴＶ装置やモニタ装置であり、映像出力部１４から送出される映像信号に基づき映像を表示する。表示部２００は、放送予約装置１００に一体に備えられていてもよい。また、表示部２００は、音声出力部１５と接続され、音声を増幅する増幅部や音声を出力するスピーカ等を備えていてもよい。
【００３６】
次に、本発明における放送予約装置１００を用いた放送予約設定動作について、図２に基づき説明する。
【００３７】
図２は、本発明における放送予約装置１００における放送の記録予約を設定する処理の例を説明したフローチャートである。図２においては、例えば、ユーザによる操作部１６の操作によって、番組予約画面が表示部２００に表示され、記録予約の対象となる任意の番組が選択された状態を前提とする。予約対象となる番組の選択は、例えば表示部２００に表示される番組表からの選択や、受信チャンネル及び開始終了時刻の入力、番組名の入力等により行われる。
【００３８】
図２において、制御部１０は、選択された番組の記録予約が決定されたか否かを判断する（ステップＳ１０）。この判断は、例えば、表示部２００に表示されている番組表において記録予約の対象となる番組が選択されている状態から、ユーザが操作部１６を用いて決定操作を行うことにより判断される。この操作によって予約設定部１０ｂにより記録予約が設定される。
【００３９】
ステップＳ１０において、番組の記録予約が決定されていないと判断された場合は（ステップＳ１０：Ｎｏ）、番組の記録予約が決定されるまでステップＳ１０を繰り返す。ステップＳ１０において、番組の記録予約が決定されたと判断された場合は（ステップＳ１０：Ｙｅｓ）、制御部１０は、記録予約された番組が連続番組であるか否かを判断する（ステップＳ１１）。
【００４０】
ステップＳ１１における連続番組であるか否かの判断は、たとえば、番組情報取得部１０ａによって取得した番組情報に基づき判断される。また、ユーザが記録予約の設定時に連続番組である設定を行うことによって判断されてもよい。連続番組の放送パターンとしては、たとえば、毎日同時刻放送、毎週同一曜日同一時刻放送、月曜日から金曜日の同時刻放送等があるが、これらの放送パターンは、番組情報やユーザの選択によって設定される。
【００４１】
ステップＳ１１において、記録予約された番組が連続番組であると判断された場合は（ステップＳ１１：Ｙｅｓ）、記録予約の対象となる番組における全ての放送回に共通する記録予約の設定が行われる（ステップＳ１２）。ここで行われる記録予約の設定とは、記録予約の対象となった番組の記録に関する各種パラメータであり、番組情報取得部１０aにより取得した番組情報に基づく放送チャンネルや放送時間の設定に加えて、記録設定部１０ｃにより設定される各種パラメータである。ステップＳ１２において、記録予約の対象となった連続番組に対して記録予約の設定が行われた後、制御部１０は他の番組の予約有無を判断する（ステップＳ１４）。
【００４２】
ステップＳ１４における、他の番組の予約有無判断とは、ユーザが操作部１６を操作することによって、さらに記録予約の設定を行う他の番組を検索している場合など、予約設定画面が終了していない状態等である。ステップＳ１４において、他の番組の予約が有ると判断された場合は（ステップＳ１４：Ｙｅｓ）、ステップＳ１０に遷移して、他の選択された番組の記録予約が決定されたか否かを判断する。ステップＳ１４において、他の番組の予約が無いと判断された場合は（ステップＳ１４：Ｎｏ）、本処理を終了する。
【００４３】
ステップＳ１１において、記録予約された番組が連続番組ではないと判断された場合は（ステップＳ１１：Ｎｏ）、記録予約の対象となった番組は連続番組ではない単独番組、または連続番組における所望の放送回のみの記録予約であるため、その記録予約に対する記録予約の設定が行われ（ステップＳ１３）、ステップＳ１４に遷移する。
【００４４】
以上説明した動作処理により設定された記録予約設定に対して、設定の変更を行う処理の例を、図３のフローチャートおよび図４から図８の予約設定変更画面の模式図を用いて説明する。図３の動作処理においては、放送予約装置１００において、図４に示すように、ユーザが操作部１６の操作によって予約設定された番組の一覧を表示していることが前提となる。
【００４５】
先ず、図４から図８までの予約設定変更画面に共通する構成について説明する。図４から図８は、本発明における放送予約装置１００の予約設定変更画面を模した図であり、ユーザによる操作部１６の操作によって、予約記録一覧の確認が選択されたときに、表示部２００に表示される例である。これらの図において、表示画面２１０は表示部２００における表示画面である。
【００４６】
表示画面２１０には、一例として、予約されている放送の放送方式の切替えや記録設定部１０ｃにより設定される記録モードの変換画面を切替える予約一覧切替部２２、および予約一覧切替部２２により選択された放送方式における予約対象番組一覧３０が表示される。
【００４７】
予約一覧切替部２２は、例えば「テレビ」「ラジオ」「記録モード変換」が、操作部１６の操作によって選択可能である。ここで「テレビ」が選択されると、テレビ放送における記録予約対象の番組一覧が表示され、「ラジオ」が選択されると、ラジオ放送における記録予約対象の番組一覧が表示される。
【００４８】
また、「記録モード変換」が選択されると、テレビ放送やラジオ放送等、記録予約対象となる放送の記録に関する各種パラメータ設定画面となり、設定の変更を可能とする。または、記録予約対象の番組が選択されている状態で、「記録モード変換」を選択すると、選択されている記録予約対象の番組に対する設定変更を可能とする。
【００４９】
予約対象番組一覧３０は、記録予約が設定されている番組を一覧表示する。図４においては、予約一覧表示切替部２２において「ラジオ」が選択されているため、記録予約されているラジオ番組が全て表示される。図４の例においては、記録予約の対象となっているラジオ番組が、予約対象番組３１から３５までの５番組表示されているが、この表示はどのような表示形態であってもよく、予約対象番組一覧３０の右端部にスクロールバーを設けて、さらに多くの予約対象番組を表示可能としてもよい。
【００５０】
予約対象番組一覧３０において、予約対象番組３１は、予約対象となる番組の放送パターンが連続番組の一形態を表す「毎日」として表示されている。この表示は、一例としてフォルダを模した形状として表示され、記録予約対象の番組が連続番組である場合には、放送予定の各放送回の予約対象番組がフォルダ中に格納されているイメージとなる表示である。このような表示をまとめ表示と呼ぶ。さらに、放送番組名「放送番組ＡＡＡ」、直近の放送予定日である１０月０４日月曜日を表す「１０／０４（月）」の表示、放送方式及び放送周波数がＡＭ（Amplitude Modulation）放送の１１２３ｋＨｚであることを表す「ＡＭ１１２３」が表示されている。
【００５１】
ここで表示される「毎日」とは、曜日を問わず毎日放送される連続番組であることを示しており、「放送番組ＡＡＡ」等の放送番組名は、番組情報取得部１０ａによって取得された番組情報に基づき表示される。また、放送番組名は、ユーザが操作部１６の操作によって、任意に付与してもよい。
【００５２】
予約対象番組３２は、特定の曜日に放送される連続番組であって、ＦＭ（Frequency Modulation）放送の９０．４ＭＨｚにおける、直近の放送日が１０月０６日水曜日である、「放送番組ＢＢＢ」の記録予約がされていることを示している。なお、放送方式および放送周波数の表示に代えて、番組情報取得部１０ａにより取得した、またはユーザによって入力された放送局名が表示されてもよい。
【００５３】
予約対象番組３３は、番組の放送パターンを示す表示がされていないため、単独の記録予約であり、放送日が１０月０６日水曜日における、ＦＭ放送８７．７ＭＨｚの「放送番組ＣＣＣ」が記録予約されていることを示す。
【００５４】
予約対象番組３４は、特定の曜日に放送される連続番組であって、ＦＭ放送の８０．９ＭＨｚにおける、直近の放送日が１０月０８日金曜日に放送される番組が記録予約されていることを示す。ここでは番組名は表示されずに「毎週金曜日２３：００〜」と表示されているが、これは番組情報取得部１０ａにより番組名が取得されていない場合の表示例であり、そのような場合は予約設定に基づき判別可能な表示を行う。
【００５５】
予約対象番組３５は、単独の記録予約であり、放送日が１０月１１日月曜日における、ＦＭ放送７８．８ＭＨｚの「放送番組ＥＥＥ」が記録予約されていることを示す。図４に示したように、予約一覧確認画面により、ユーザは操作部１６を操作することによって、記録設定の変更を希望する番組を選択する。図４においては、予約対象番組３２が選択されている状態を示している。
【００５６】
次に、図３に基づき、記録予約が設定された番組の一覧を表示し、記録設定の変更を行う処理の例を説明する。図３の処理は、ユーザが操作部１６を操作することにより、記録予約されている放送の一覧を表示部２００に表示させていることを前提とする。記録予約されている放送の一覧の表示は、一例として図４に示すように表示される。
【００５７】
このような状態において、制御部１０は、選択された設定変更の対象となる予約対象番組は連続番組であるか否かを判断する（ステップＳ２０）。ここでいう選択された予約対象番組とは、図４の予約対象番組３２のように、予約対象番組一覧３０において選択された予約対象番組である。また、連続番組であるか否かの判断は、記録予約の設定がされた際に、ステップＳ１２の処理によって連続番組であることを指定された記録予約が連続番組として判断される。図４においては、予約対象番組３２が選択されており、予約対象番組３２は特定の曜日に放送される連続番組であることが設定されているために連続番組であると判断される。
【００５８】
ステップＳ２０において、選択した記録設定変更対象の番組が連続番組であると判断された場合（ステップＳ２０：Ｙｅｓ）、表示制御部１０ｄは、図５に示すように選択された記録設定変更対象の番組における放送される予定の記録予約、すなわち今後の予約一覧を表示させる（ステップＳ２１）。
【００５９】
図５は、図４における予約対象番組３２の表示を操作部１６の操作によって選択し、予約内容を展開した表示例である。予約対象番組３２は連続番組であるため、予約対象番組３２の表示を展開すると、直近の放送回から時系列に個々の予約が表示される。
【００６０】
このような表示によって、連続番組における記録予約が、直近の放送回のみではなく、放送される予定の記録予約まで表示される。図５において、連続番組である「放送番組ＢＢＢ」の予約記録は、少なくとも直近の１０月２６日水曜日（予約対象番組３２ａ）に加えて、次週の放送（予約対象番組３２ｂ）および次々週（予約対象番組３２ｃ）の放送が予約対象となっていることが分かる。図５においては、放送番組ＢＢＢの個別の放送回を、直近分を含めて３回分表示しているが、番組情報取得部１０ａが取得可能な期間や、予め設定された放送回分など、任意の放送回分であってもよい。
【００６１】
ステップＳ２１において今後の予約一覧が表示された後、制御部１０は、ユーザが選択した記録設定変更対象が、連続番組全体であるか、連続番組における個別の番組であるかを判断する（ステップＳ２２）。この判断は、ユーザの操作によって例えば予約対象番組３２のような連続番組に対して記録設定変更操作がされたか、例えば予約対象番組３２ａのような連続番組における個々の放送回に対して記録設定変更操作がされたかによって判断される。ここでいう個々の番組に対する記録設定変更とは、図５において予約対象番組３２ｂが選択されているように、連続番組における個々の放送回が選択され、図６に示すように予約対象番組３２ｂにおける予約情報変更表示４０が表示されている状態である。
【００６２】
ステップＳ２２において、記録設定変更対象が連続番組全体であると判断された場合は（ステップＳ２２：Ｙｅｓ）、表示制御部１０ｄは、表示部２００に記録設定変更対象となった連続番組の記録設定内容を表示させる（ステップＳ２５）。ユーザは、表示された記録設定内容に基づき、連続番組としての記録設定内容の変更操作を行った後、決定操作を行うことによって、記録設定部１０ｃにおける記録設定内容が変更される（ステップＳ２６）。
【００６３】
ステップＳ２２において、記録設定変更対象が連続番組全体ではない、すなわち個々の番組であると判断された場合は（ステップＳ２２：Ｎｏ）、表示制御部１０は、表示部２００に記録設定変更対象となった連続番組における選択された放送回の番組の予約設定内容を表示させる（ステップＳ２３）。ステップＳ２２において、記録設定変更対象として連続番組における個々の番組が選択された状態は、一例として、図５に示すように、連続番組である「放送番組ＢＢＢ」の個々の放送回の表示が展開された状態で、例として１０月１３日の放送回である予約対象番組３２ｂが選択された状態である。ユーザは、所望の放送回を選択することによって表示された記録設定内容に基づき、記録設定内容の変更操作を行った後、決定操作を行うことによって、記録設定部１０ｃにおける記録設定内容が変更される（ステップＳ２４）。
【００６４】
ステップＳ２３においては、記録設定変更対象の放送回が選択された状態で、ユーザが操作部１６により表示操作を行うことにより、図６から図７に示すように、選択された放送回の予約設定内容が表示される。ステップＳ２３における予約設定内容が表示された状態で、予約設定内容の変更を行ってもよい。さらには、ステップＳ２２において記録設定変更対象の放送回が選択された状態で、ユーザが記録設定変更操作を行うことによって、選択された放送回に対する記録設定変更画面が表示されてもよい。
【００６５】
図６において、予約対象番組一覧３０におけるいずれの予約対象番組においても、操作部１６の操作によって予約情報変更表示４０が表示される。予約情報変更表示４０によって変更可能な記録設定の例としては、記録の開始時刻や終了時刻を変更する「予約時間」は、例えば、連続番組における設定により「放送番組ＢＢＢ」の予約記録開始時刻が２３：００、予約記録終了時刻が２３：５５と設定されている場合において、ユーザによる操作部１６の操作によって、予約記録終了時刻を２４：３０などに変更することが可能である。例えば、毎回同一時刻の放送である連続番組において、特定の放送日のみ特別番組等によって放送時間が長く設定されている場合などに有効である。
【００６６】
記録するファイル形式や画質若しくは音質等の設定を行う「記録モード」は、図７に示すように、選択および決定操作を行うこととで、記録モードを変更可能とする記録モード変更表示４１が表示される。記録モード変更表示４１において、記録対象の番組がラジオ放送である場合は、一例としてＷＭＡ（Windows Media Audio（Windowsは登録商標））方式やＭＰ３（MPEG- Audio Layer-3）方式などが選択可能である。図７においては、ＭＰ３方式を選択している状態を示しており、ＭＰ３方式を選択および決定操作を行うことで、図８に示すように、ＭＰ３方式のビットレートを選択可能とするビットレート選択表示４２が表示される。
【００６７】
図７における記録モード変更表示４１により、例えばＷＭＡ方式が選択された場合は、サンプリング周波数選択表示が表示される。また、これらの記録モードに限らず、多様な記録モードに対応してもよい。また、記録対象の番組がテレビ放送である場合は、例えば「ＬＰモード」「ＳＰモード」や、「ＤＲモード」「２倍モード」等、テレビ番組の記録に対応した各種記録モードを選択可能とする。
【００６８】
図８においては、図７における記録モード変更表示４１においてＭＰ３が選択された場合に表示されるビットレート選択表示４２により２５６ｋｂｐｓが選択されている状態を示しており、２５６ｋｂｐｓを選択および決定操作を行うことで、「放送番組ＢＢＢ」の１０月１３日の放送においては、連続番組としての設定に係らず、ＭＰ３方式による２５６ｋｂｐｓのビットレートにより記録される。
【００６９】
予約情報変更表示４０における「記録先」は、記憶部１７としての記録媒体が複数選択可能である場合に、記録対象の番組を記録する媒体を選択する。例えば、記憶部１７としてのＨＤＤや、光ディスク記録再生部におけるＤＶＤやＢＤ、または外部記録媒体などが選択可能であり、例えば、連続番組として毎回ＨＤＤに記録する設定である場合に、特定の放送回のみＢＤやメモリカードに記録するといった設定が可能である。
【００７０】
予約情報変更表示４０における「予約ＯＮ」は、記録予約が設定されたときには、記録予約が実行されることが前提であるために、初期値として「予約ＯＮ」が設定されており、ユーザによる操作によって、「予約ＯＦＦ」が選択可能である。この操作により、例えば、連続番組の記録予約における特定の放送回のみの記録を実行しない設定とすることができる。
【００７１】
ステップＳ２０において、選択した記録設定変更対象の番組が連続番組ではないと判断された場合（ステップＳ２０：Ｎｏ）、表示制御部１０ｄは、表示部２００に記録設定変更対象となった番組の記録設定内容を表示させる（ステップＳ２７）。ユーザは、表示された記録設定内容に基づき、記録設定内容の変更操作を行った後、決定操作を行うことによって、記録設定部１０ｃにおける記録設定内容が変更される（ステップＳ２８）。
【００７２】
ステップＳ２４、ステップＳ２６、ステップＳ２８の各ステップにおいて、記録予約の設定変更が完了した場合はステップＳ２９に推移し、制御部１０は、他の番組の記録設定変更があるか否かを判断する（ステップＳ２９）。この判断は、記録予約の設定変更完了後に、ユーザが操作部１６を操作することによって、他の予約対象番組が選択されたか否かによって判断される。
【００７３】
ステップＳ２９において、他の番組の記録設定変更があると判断された場合は（ステップＳ２９：Ｙｅｓ）、ステップＳ２０に推移し、選択された予約対象番組に対して、再度連続番組であるか否かを判断する（ステップＳ２０）。ステップＳ２７において、他の番組の記録設定変更が無いと判断された場合は（ステップＳ２７：Ｎｏ）、本処理を終了する。
【００７４】
次に、図３によって設定された記録予約設定に基づく記録処理について、図９により説明する。制御部１０は、記録予約された番組の記録開始タイミングであるか否かを判断する（ステップＳ３０）。この判断は、予約設定部１０ｂによって設定された記録予約対象となる番組の開始時刻が所定時間以内となったか否かの判断であり、所定時間とは、放送予約装置１００の電源が待機モードである場合には、番組の開始時刻までに装置を起動するとともに各種設定を行うための時間である。また、放送予約装置１００の電源が予め入っている場合においては、番組の開始時刻までに各種設定を行うための時間である。
【００７５】
ステップＳ３０において、予約番組の記録開始タイミングではないと判断された場合は（ステップＳ３０：Ｎｏ）、ステップＳ３０の処理を繰り返す。予約番組の記録開始タイミングであると判断された場合は（ステップ３０：Ｙｅｓ）、制御部１０は、予約対象番組が連続番組であるか否かを判断する（ステップＳ３１）。ステップＳ３１における判断は、ステップＳ２０における判断と同一である。
【００７６】
ステップＳ３１において、予約対象番組が連続番組であると判断された場合は（ステップＳ３１：Ｙｅｓ）、制御部１０は、予約対象番組が連続番組としての記録設定情報ではなく、個別の記録設定情報を有しているか否かを判断する（ステップＳ３２）。ステップＳ３２において、個別の記録設定情報を有していると判断された場合は（ステップＳ３２：Ｙｅｓ）、個別の記録設定情報に基づいて予約対象番組の記録を開始する（ステップＳ３３）。個別の記録設定情報を有していないと判断された場合は（ステップＳ３２：Ｎｏ）、連続番組としての記録設定情報に基づいて予約対象番組の記録を開始する（ステップＳ３５）。
【００７７】
ステップＳ３１において、予約対象番組が連続番組ではないと判断された場合は（ステップＳ３１：Ｎｏ）、制御部１０は、予約対象番組の予約設定時に設定された記録設定情報に基づいて予約対象番組の記録を開始する（ステップＳ３４）。
【００７８】
ステップＳ３３、ステップＳ３４、ステップＳ３５の各ステップにおいて、予約対象番組の記録を開始した後は、制御部１０は記録が終了したか否かを判断する（ステップＳ３６）。ステップ３６において記録が終了していないと判断された場合は（ステップＳ３６：Ｎｏ）、記録を継続する。記録が終了したと判断された場合は（ステップＳ３６：Ｙｅｓ）、本処理を終了する。
【００７９】
上記のような処理によって、本発明の放送予約装置１００は、連続番組の記録予約を設定した場合において、連続番組における各放送回の記録に対して各々記録設定の変更が可能である。このため、例えば毎回記録している番組において、特定の放送回のみ重要な内容や保存したい内容である場合には、高音質または高画質の記録モードの設定を可能とする。また、ＨＤＤ等の記録残量が少ない場合には、特定の放送回のみ音質や画質の低い記録モードで記録することもできる。
【００８０】
また、予約一覧確認画面においては、記録予約対象の番組の表示は時系列順ではなくとも、名称順や放送局順であってもよい。
【００８１】
また、上記説明した本発明を適用したプログラムを、放送予約装置１００を動作させるコンピュータにインストールして動作させてもよい。インストールするプログラムは、電気通信ネットワークを介して配布されてもよく、記録媒体を介して配布されてもよい。
【符号の説明】
【００８２】
１０：制御部
１０ａ：番組情報取得部
１０ｂ：予約設定部
１０ｃ：記録設定部
１０ｄ：表示制御部
１１：放送受信部
１６：操作部
１７：記憶部
１００：放送予約装置
２００：表示部
【図１】
2012074821.tif 000003
【図２】
2012074821.tif 000004
【図３】
2012074821.tif 000005
【図９】
2012074821.tif 000006
【図４】
2012074821.tif 000007
【図５】
2012074821.tif 000008
【図６】
2012074821.tif 000009
【図７】
2012074821.tif 000010
【図８】
2012074821.tif 000011